(57)【要約】【課題】転写位置に向け転写材を指向させる搬送ガイドにおける問題に鑑み、転写材後端の跳ね上げを防止して跳ね上げによる転写ブレやトナー散りなどの弊害を防止することができる構成を備えた画像形成装置を提供する。【解決手段】表面にトナー像を担持可能な像担持体と、該像担持体上のトナー像を転写材に転写可能な転写装置と、該転写装置における転写位置に向けて転写材をガイドする転写材ガイド部材３００とを備えている画像形成装置において、  上記転写材ガイド部材３００は、転写材の移動方向と直角な方向である幅方向一端側と他端側とで転写材の離間タイミングを異ならせる構成として、幅方向に沿ってガイド先端部を傾斜させた構成を備えていることを特徴とする【選択図】図３
2010089925.tif 000002
【特許請求の範囲】
【請求項１】
表面にトナー像を担持可能な像担持体と、該像担持体上のトナー像を転写材に転写可能な転写装置と、該転写装置における転写位置に向けて転写材をガイドする転写材ガイド部材とを備えている画像形成装置において、
上記転写材ガイド部材は、上記転写材の移動方向前方側に位置して該転写材での像転写面側を案内する主ガイド部と、上記移動方向における上記主ガイド部の後方に位置する副ガイド部とを備え、
該副ガイド部は、上記主ガイド部材によって片持ち梁状に設けられ、転写材の移動方向と直角な方向に相当する幅方向において一端側と他端側とで該転写材の移動方向後端の離間タイミングを異ならせる構成を備え、
上記離間タイミングを異ならせる構成として、副ガイド部における上記転写材の移動方向前方側に位置する先端を該転写材の幅方向に沿って傾斜させた構成が用いられることを特徴とする画像形成装置。
【請求項２】
上記副ガイド部は、上記転写材の幅方向に沿って転写材の幅サイズに合わせて複数に分割されていることを特徴とする請求項１に記載の画像形成装置。
【請求項３】
上記転写材ガイド部材における副ガイド部は、複数に分割された同一部品を上記幅方向に並置して構成されていることを特徴とする請求項１に記載の画像形成装置。
【請求項４】
上記転写材ガイド部材における主ガイド部は、上記転写材の移動方向と直角な方向に沿って該移動方向先端面が傾斜していることを特徴とする請求項１に記載の画像形成装置。
【請求項５】
上記像担持体が、ベルトを用いた像担持体であることを特徴とする請求項１に記載の画像形成装置。
【請求項６】
上記像担持体として中間転写体が用いられることを特徴とする請求項１に記載の画像形成装置。
【発明の詳細な説明】
【技術分野】
【０００１】
本発明は、画像形成装置に関し、さらに詳しくは、転写材の移動方向後端での跳ね上げを防止する構造に関する。
【背景技術】
【０００２】
周知のように、複写機やプリンタあるいは印刷機などの画像形成装置においては、潜像担持体である感光体上に形成された静電潜像が現像装置から供給される現像剤によって可視像処理される。
【０００３】
可視像処理されたトナー像は転写材に転写された後、定着装置による加熱・加圧によってトナーが融解・浸透することで定着されて複写画像とされる。
【０００４】
感光体上に形成されたトナー像は、そのまま転写材に転写される場合あるいは中間転写体として用いられる中間転写ベルトに一旦転写された後、転写材に対して転写される場合とがある。後者の転写方式は、フルカラー画像形成時に用いられる方式であり、各色の画像が形成された作像部を中間転写ベルトが移動する過程で各色の画像が順次転写され、重畳画像が転写材に一括転写される。
【０００５】
ところで、転写材に対する画像の転写位置近傍には、転写画像とのレジストタイミングを設定された転写材を転写位置に向けて搬送する搬送装置が設けられている。搬送装置には、転写材を転写位置に向けガイドするガイド部材が設けられており、レジストタイミングを設定されて転写材が転写位置に向けて導入される。
【０００６】
近年、装置の小型化が推進されてきており、このため、レジストローラから転写位置に向けた搬送路の形態も直線状ではなく湾曲させて縦方向での占有スペースを少なくする場合がある。このため、搬送される転写材は、搬送装置のガイド部を通過する際に、ガイド部によって進行方向を変化させられることがある。転写材の進行方向が転写位置の前方で変化すると、転写材の搬送方向後端が跳ね上がることがある。つまり、転写材は、ガイド部材を抜ける際に搬送方向後端がそれまでガイド部材によって方向付けられていた湾曲状態から解放されて転写材の剛性による形状復元力によって元の形態に戻ろうとして跳ね上がることがある。特に曲げ剛性の高いとされるハガキなどの厚紙を用いた場合には後端跳ね上げ現象が顕著となる。
【０００７】
転写材の搬送方向後端が跳ね上がると、その際に生じる衝撃力によって画像同士の転写位置がずれて色ずれやトナー散りなどの異常画像が発生する。
【０００８】
従来、転写材の後端跳ね上げを防止するための構成として、転写材のガイド部材、いわゆる、搬送ガイド部材によって設定される転写材の転写位置への進入角度を転写材の曲げ剛性により異ならせるようにした構成（例えば、特許文献１）、あるいは、搬送ガイド部材の搬送方向下流側での張り出し量を転写材の搬送方向と直交する方向に相当する幅方向で中央部と両端部とで異ならせた構成（例えば、特許文献２）、さらには、搬送ガイドを転写材の前記幅方向複数に分割して厚さが同じであっても幅の異なる転写材の進入角度を異ならせるようにした構成（例えば特許文献３）がある。
【０００９】
【特許文献１】特開平０５−３４６７３８号公報
【特許文献２】特開２００５−３１４０６４
【特許文献３】特開２００８−３９８４０
【発明の開示】
【発明が解決しようとする課題】
【００１０】
しかし、画像形成装置の高性能化、即ち、カラー化、オフィス文書以外の様々な文書を作成する利用分野の多様化が進んだ結果、使用される転写材の種類が多様化し、従来よりも剛性の高い転写材にトナー像を転写する場合、従来の技術では転写材後端の跳ね上がる力を完全に緩和することができないのが現状である。  
また、カラー化によりタンデム中間転写方式の画像形成装置が増えているが、中間転写ベルトを搭載した画像形成装置では、例えば、図１０に示すように、中間転写ベルトＢＴと、転写材の厚さによって撓み変形させることで進入角度を変化させることができるマイラーＭなどのガイド部材とが近接して配置される場合がある。この構成においては、マイラーＭなどの可撓性部材が撓むのに必要なスペースＱを十分に確保することが難しく、転写材の後端で跳ね上げ力を完全に吸収して跳ね上げを完全に緩和することが難しくなる。
【００１１】
本発明の目的は、上記従来の画像形成装置における問題、特に、転写位置に向け転写材を指向させる搬送ガイドにおける問題に鑑み、転写材後端の跳ね上げを防止して跳ね上げによる転写ブレやトナー散りなどの弊害を防止することができる構成を備えた画像形成装置を提供することにある。
【課題を解決するための手段】
【００１２】
この目的を達成するため、本発明は次の構成よりなる。  
（１）表面にトナー像を担持可能な像担持体と、該像担持体上のトナー像を転写材に転写可能な転写装置と、該転写装置における転写位置に向けて転写材をガイドする転写材ガイド部材とを備えている画像形成装置において、
上記転写材ガイド部材は、上記転写材の移動方向前方側に位置して該転写材での像転写面側を案内する主ガイド部と、上記移動方向における上記主ガイド部の後方に位置する副ガイド部とを備え、
該副ガイド部は、上記主ガイド部材によって片持ち梁状に設けられ、転写材の移動方向と直角な方向に相当する幅方向において一端側と他端側とで該転写材の移動方向後端の離間タイミングを異ならせる構成を備え、
上記離間タイミングを異ならせる構成として、副ガイド部における上記転写材の移動方向前方側に位置する先端を該転写材の幅方向に沿って傾斜させた構成が用いられることを特徴とする画像形成装置。
（２）上記副ガイド部は、上記転写材の幅方向に沿って転写材の幅サイズに合わせて複数に分割されていることを特徴とする（１）に記載の画像形成装置。
（３）上記転写材ガイド部材における副ガイド部は、複数に分割された同一部品を上記幅方向に並置して構成されていることを特徴とする（１）に記載の画像形成装置。
（４）上記転写材ガイド部材における主ガイド部は、上記転写材の移動方向と直角な方向に沿って該移動方向先端面が傾斜していることを特徴とする（１）に記載の画像形成装置。
（５）上記像担持体が、ベルトを用いた像担持体であることを特徴とする（１）に記載の画像形成装置。
（６）上記像担持体として中間転写体が用いられることを特徴とする（１）に記載の画像形成装置。
【発明の効果】
【００１３】
本発明によれば、転写材の移動方向と直角な方向に相当する幅方向において一端側と他端側とで該転写材の移動方向後端の離間タイミングを異ならせることができるので、転写材後端が幅方向全域で同時に離間する場合と違って、幅方向で徐々に離間させることにより、形状復元の際の反発力を緩和させやすくできる。これにより、転写材の後端跳ね上げを幅サイズに関係なく効率よく抑制して、跳ね上げが原因する転写ブレやトナー散りなどの弊害を防止することができる。
【発明を実施するための最良の形態】
【００１４】
以下、図面により本発明を実施するための最良の形態について説明する。  
図１は、本発明による画像形成装置の構成を示す模式図である。  
同図に示す画像形成装置１００は、トナー像を担持可能な像担持体として無端状ベルトが用いられる中間転写ベルトの展張面に沿って複数の画像形成ステーションが並置されたタンデム方式の画像形成装置である。
【００１５】
画像形成装置１００は、画像形成部Ａの下方に、記録材として用いられる転写材を収容している給紙バンクＢを備えている。
【００１６】
画像形成部Ａには、複数のローラ２Ａ〜２Ｆに掛け回された中間転写ベルト１が設けられており、中間転写ベルト１は、符号２Ａで示す駆動ローラにより図示矢印方向に移動するようになっている。
【００１７】
図１に示す中間転写ベルト１は、展張面の一部がローラ２Ｆによって内周面側に向け迂回されており、迂回されたことで生じたスペースに後述する定着装置１０が配置されて高さ方向の丈を小さくできるようになっている。
【００１８】
中間転写ベルト１における展張面の一つには、色毎の画像形成が可能な画像形成ステーションが並置されている。
【００１９】
各画像形成ステーションはともに同じ構成を備えており、今、代表して黒色対象とする画像形成ステーション（図１において符号Ｋで示す箇所）を説明すると次の通りである。なお、各画像形成ステーションには、色の意味を示すＹ，Ｍ，Ｃ，Ｋを後述する感光体ドラム内に表示し、各装置には添え字を付加しておく。
【００２０】
画像形成ステーションには、回転可能な感光体ドラム３が設けられており、感光体ドラム３の周囲には、画像形成処理を行う装置のうちで、帯電装置４，現像装置５およびクリーニング装置６が纏めてプロセスカートリッジ内に収容されている。
【００２１】
各画像形成ステーションの上部には、書き込み装置７が配置されており、内蔵されているレーザ光源から光学系を介して画像情報に応じた書き込み光が感光体ドラム３に向け出射されるようになっている。
【００２２】
各画像形成ステーションにおける中間転写ベルト１を挟んで感光体ドラム３と対向する位置には、１次転写装置を構成する１次転写ローラ８がそれぞれ配置されている。
【００２３】
一方、中間転写ベルト１には、その移動方向において各画像形成ステーションを通過した位置に配置されている転写背圧ローラ２Ｂと対向して２次転写部材に相当する２次転写ローラ９が配置されている。
【００２４】
２次転写ローラ９は、中間転写ベルト１に重畳転写された画像を給紙バンクＢから繰り出される転写材に対して一括転写する機能を有する。
【００２５】
２次転写ローラ９から転写材が搬送される位置には、後述する搬送装置２００によって搬送された転写材のトナー像を定着するための定着装置１０が配置されている。
【００２６】
定着装置１０は、加熱ローラ１０Ａおよび定着ローラ１０Ｂに掛け回された定着ベルト１０Ｃおよび定着ローラ１０Ｂに対向する加圧ローラ１０Ｄを備えて構成されたベルト定着方式を用いる構成であり、ベルトの熱容量が小さいことを利用して所定の定着温度までの立ち上がり時間を短くした構成とされている。  
定着装置１０では、定着ローラ１０Ｂと加圧ローラ１０Ｄとで転写材を挟持搬送する過程で転写材に対して加熱・加圧を行い転写材に担持されているトナー像を融解、浸透させて定着するようになっている。
【００２７】
定着後の転写材は搬送装置によって装置外部に配置されている排出トレイ１００Ａあるいは詳細を説明しないが両面複写の際の反転搬送装置ＲＰに向け搬送されるようになっている。
【００２８】
２次転写後の中間転写ベルト１は、迂回部近傍に設けられているベルトクリーニング装置１１によって残留トナーや紙粉などの異物を清掃される。  
ベルトクリーニング装置１１は、図１に示す構成の場合、中間転写ベルト１に当接するクリーニングブレード１１Ａおよびローラやブラシローラ１１Ｂなどが用いられるクリーニング部材を備えている。クリーニング部材に対しては、中間転写ベルト１の内周面側に配置されたバックアップローラ１２が対向して設けられて各クリーニング部材による異物の掻き取り効果を高めるようになっている。
【００２９】
一方、給紙バンクＢには、複数の給紙カセットＢ１、Ｂ２が備えられており、各給紙カセットＢ１，Ｂ２における転写材繰り出し側には、繰り出しローラＢ３および給送ローラＢ４がそれぞれ配置されている。
【００３０】
給紙カセットＢ１，Ｂ２から繰り出された転写材の搬送路中には、２次転写ローラ９が位置する２次転写部の手前にレジストローラ１３が配置されており、画像位置とのレジストタイミングを設定されて転写材を繰り出せるようになっている。なお、図１において符号Ｃは、手差し給紙部を示しており、手差し給紙部Ｃからの搬送路はレジストローラ１３の手前側で給紙バンクからの搬送路と合流するようになっている。
【００３１】
以上のような構成の画像形成装置１００では、画像形成ステーションにおいて感光体ドラム３が帯電装置４により一様帯電されると書き込み装置７からの書き込み光による静電潜像が形成され、静電潜像が現像装置５から供給されるトナーにより可視像処理されてトナー像が形成される。
【００３２】
感光体ドラム３に担持されたトナー像は、中間転写ベルト１に対して１次転写ローラ８による転写バイアスを用いて転写され、各画像形成ステーションにおいて重畳転写されたトナー像が２次転写ローラ９により給紙バンクＢから繰り出された転写材に対して一括転写される。
【００３３】
２次転写を終えた転写材は、後述する搬送装置２００により定着装置１０に向け搬送され、定着装置１０によってトナー像が定着され、排出トレイ１００Ａあるいは反転搬送装置ＲＰに向け搬送される。
【００３４】
１次転写を終えた感光体ドラム３および中間転写ベルト１は、画像形成ステーションに設けられているクリーニング装置６およびベルトの迂回部分に設けられているクリーニング装置１０によってそれぞれクリーニングされて次回の画像形成に備えられる。
【００３５】
以上のような構成の画像形成装置を対象として本発明の特徴部について説明すると次の通りである。
【００３６】
本実施形態において、レジストローラ１３から２次転写部に転写材が繰り出される位置には、転写材ガイド部材３００が配置されている。
【００３７】
転写材ガイド部材３００は、図２に示すように、転写材での像転写側の面に対向する位置で、移動方向（図２において矢印Ｆで示す方向）に沿って複数に分割された主ガイド部３００Ａおよび副ガイド部３００Ｂと、転写材での像転写側の面と反対側の裏面に対向する位置で転写材を２次転写部に向け指向させる下ガイド部３００Ｃと主ガイド部３００Ａを支持しながら自らも転写材の像転写面側に対向している支持ガイド３０１とを備えている。支持ガイド３０１は、剛性が比較的高く、厚い転写材が衝突した際にも変形しにくくされている。
【００３８】
転写材ガイド部材３００における主ガイド部３００Ａは、転写材の移動方向前方側に位置して転写材の像転写面側に対向しており、副ガイド部３００Ｂは、転写材の移動方向後方側に位置して転写材の像転写面側に対向して転写材の移動方向後端が転写ガイド部材３００を通過する際に接触するようになっている。
【００３９】
主ガイド部３００Ａと副ガイド部３００Ｂとは撓み易さが異ならせてある。  
つまり、主ガイド部３００Ａおよび副ガイド部３００Ｂは、いずれもポリエチレンテレフタレート（ＰＥＴ）が用いられており、それら各部における撓み剛性として、主ガイド部３００Ａよりも副ガイド部３００Ｂの方が撓み易くされている。撓み易さを設定する構成としては、材料の厚さあるいは、梁状とした場合の支持スパンの長さなどが用いられる。
【００４０】
転写材ガイド部材３００における副ガイド部３００Ｂは、主ガイド部３００Ａに対して片持ち梁状に支持されて先端が２次転写部近傍に延出されており、先端は、転写材の幅方向に沿って転写材後端の離間タイミングを異ならせる構成とされている。  
つまり、離間タイミングを異ならせる構成としては、図３に示すように、転写材の移動方向前方側に位置する先端が転写材の移動方向と直角な方向に相当する転写材の幅方向に沿って勾配量ｈが得られるように傾斜させてあり、この傾斜した先端から転写材後端が離れるタイミングを転写材の幅方向一端側と他端側とで異ならせている。  
この場合の勾配量ｈは、転写材の幅方向一端側から他端側にかけて転写材が順次連続して副ガイド部３００Ｂの先端から離間できる高さに相当している。これにより、転写材の後端が幅方向全域で同時に離間しないようにできる。
【００４１】
本実施形態は以上のような構成であるから、給紙バンクＢから繰り出されてレジストローラ１３によりレジストタイミングを設定されたうえで搬送移動してくる転写材は、搬送ガイド部材３００に達する。
【００４２】
搬送ガイド部材３００を移動する転写材は、転写材ガイド部材３００の主ガイド部３００Ａと接触した後、副ガイド部３００Ｂに接触しながら移動し、２次転写部に導入される。
【００４３】
副ガイド部３００Ｂは、主ガイド部３００Ａよりも撓みやすい部材であり、しかも、転写材の幅方向での離間タイミングを幅方向一端側と他端側とで異ならせるようになっている。このため、図４に示すように、転写材後端が湾曲した状態（図４において符号Ｐで示す状態）から元の形状（図４中、符号Ｐ’で示す状態）に戻ろうとした場合には、幅方向全域が同時に離間するのでなく、幅方向に沿って後端が徐々に離間する。これにより、転写材後端は、幅方向全域が同時に離間する場合のように、ガイド部から離れた瞬間に強い反発力が発生するようなことがなく、幅方向一端側から他端側にかけて徐々に跳ね上げを抑制されて反発力が緩和されることになる。特に、離間タイミングを異ならせる構成として、副ガイド部材３００Ｂの端縁を傾斜面としているだけの簡単な構成で転写材の反発力の緩和が可能となる。
【００４４】
本実施形態では、副ガイド部３００Ｂの撓み易さとして、最も跳ね上げが顕著な厚紙、例えば、ハガキなどを対象として撓み剛性が設定されている。これにより、ハガキより薄くて跳ね上げ力として作用する形状復元力が弱い転写材の場合には跳ね上げ抑制が顕著となる。
【００４５】
なお、上記の構成においては、副ガイド部３００Ｂと主ガイド部３００Ａとを別部材として設け、主ガイド部３００Ａよりも副ガイド部３００Ｂの方を撓み易くしたが、この構成に代えて、主ガイド部３００Ａの先端に副ガイド部に相当する特性を有した部分を形成する構成、あるいは、副ガイド部３００Ｂを複数重ね合わせて先端同士をずらした構成とすることも可能である。
【００４６】
次に本発明の別実施形態について説明する。  
本実施形態は、副ガイド部３００Ｂを転写材の幅方向に沿って転写材のサイズに合うように分割したことを特徴としている。
【００４７】
本実施形態の具体的な構成を説明する前に、上記特徴とした理由について説明する。  
図２および図３に示した実施形態においては、撓み易さを異ならせたガイド部を設け、転写材の幅方向での転写材後端の離間タイミングを異ならせることにより、厚紙などの剛性が高い転写材であっても、後端の跳ね上げを抑制して跳ね上げによる異常画像の発生を防止できる。
【００４８】
しかし、副ガイド部３００Ｂは、画像形成装置における転写材の最大通紙幅に合わせて設定されている場合が多い。このため、転写材の幅が狭い場合、つまり、最大通紙幅以下である場合には十分な効果が得られないことがある。これは、幅方向での離間タイミングの設定が十分異なった状態とはならず、図９に示すように、副ガイド部（便宜上、符号３００Ｂ０’で示す）が転写材の幅方向で一様な延出長さとなっている場合に近似して、転写材の後端が幅方向でほとんど同時に離れる状態となるためである。
【００４９】
そこで、本実施形態では、転写材の幅に合わせて副ガイド部３００Ｂを構成することにより、上述した問題を解決して図２，３に示した構成を用いた場合よりもさらに効果的に後端の跳ね上げをなくして異常画像の発生を防止するようにしている。以下に構成を説明する。  
図５は、副ガイド部を転写材の幅方向で複数領域を占める状態に分割した構成を示している。  
同図に示す副ガイド部４００は、最大通紙幅に近い幅広の転写材を対象とした幅広用の副ガイド部４００Ａと、ハガキなどの狭幅の転写材を対象とした狭幅用の副ガイド部４００Ｂとで構成されている。これら各幅ガイド部４００Ａ、４００Ｂの先端は、図３に示した場合と同様に、転写材の幅方向に沿って傾斜する辺部を形成されている。
【００５０】
このような構成においては、幅広の転写材を対象とした場合には幅広用の副ガイド部４００Ａに跨って転写材が移動し、転写材後端が図３に示した場合と同様に離間タイミングを異ならせるようになっている。また、狭幅の転写材を対象とした場合には、その幅に対応した副ガイド部４００Ｂを転写材が移動できるので、幅方向での離間タイミングを異ならせる場合においても、副ガイド部４００Ｂの幅の領域内で異ならせることができる。
【００５１】
従って、幅広および狭幅のいずれの転写材を対象とした場合でも、副ガイド部４００Ａ、４００Ｂの撓み易さの違いと離間タイミングを異ならせることで転写材後端の跳ね上げを抑制できることになる。
【００５２】
また、図５に示した構成では、転写材の幅方向両端に位置する、幅広用の副ガイド部４００Ａは、同一部材が用いられており、その先端位置を図３に示した場合と同様な傾斜片となるように、図５において符号３００Ｃで示す下ガイド部材の端縁に対向する片部の設置位置をずらして設けられている。これにより、幅広用の副ガイド部４００Ａ同士を異なった部品とすることなく共通部品を用いることができるので、部品管理などのコストを低減することができる。
【００５３】
図６には、転写材の離間タイミングを異ならせるために用いられる副ガイド部のうちで、少なくとも最も離間タイミングが遅くなる位置近傍に配置されている副ガイド部を分割した構成が示されている。
【００５４】
つまり、図６に示すように、転写材の幅方向中央を基準として、離間タイミングが早い側に相当する一方側には、転写材の幅方向中央を基準として、ハガキなどの狭福の転写材および幅広の転写材の両方の幅方向一端側領域を含む副ガイド部（便宜上、符号５００で示す）が設けられ、転写材の幅方向中央を基準として、離間タイミングが遅くなる側に相当する他方側には、ハガキなどの狭幅の転写材を対象とした狭幅用副ガイド部（便宜上、符号４００Ｂ’で示す）と、幅広の転写材を対象とした幅広用副ガイド部（便宜上、符号４００Ａ’で示す）が用いられている。
【００５５】
幅広用副ガイド部４００Ａ’は、隣り合うものと同一部材が用いられて幅広の転写材をガイドできるようになっている。この場合においても、拡幅用副ガイド部４００Ａ’および狭福用副ガイド部４００Ｂ’の先端は転写材の幅方向に沿って傾斜する片部が形成されている。
【００５６】
図７は、転写材の幅方向全域に亘って副ガイド部を転写材の幅に対応する位置にそれぞれ分割して設けた構成を示している。同図に示す副ガイド部のうちで、狭福用副ガイド部（便宜上、符号４００Ｂ１’で示す）は、幅広用副ガイド部４００Ａ’における先端の傾斜角度よりも大きい傾斜角を持つ傾斜片とされている。
【００５７】
これにより、狭幅の転写材に当接する狭幅用副ガイド部４００Ｂ１’の数が少なくても、狭幅用副ガイド部４００Ｂ１’を通過する転写材の離間タイミングを顕著に異ならせることができる。また、幅広の転写材を対象とする副ガイド部が設けられていても、狭幅の転写材を対象とする副ガイド部において、狭幅の転写材を対象として跳ね上げを吸収できる撓みを独立して起こさせることができる。
【００５８】
ところで、分割された副ガイド部は、主ガイド部から張り出す先端が傾斜している関係で主ガイド部の先端からの距離が異なっている。主ガイド部に対して片持ち梁状に支持されている場合には、その梁のスパン長さが撓み易さに影響する。
【００５９】
そこで、本実施形態では、分割された副ガイド部を用いる場合、図６および図７に示すように、主ガイド部３００Ａの先端３００Ａ１も、転写材の幅方向に傾斜させる。  
この場合の傾斜角度は、副ガイド部の先端で設定されている傾斜角度に対応させてある。  
これにより、副ガイド部は各分割位置で主ガイド部からの張り出し量が同じとなり、副ガイド部を同一部材で構成する場合にも主ガイド部に対する副ガイド部の撓み易さを確保することができる。
【００６０】
なお、副ガイド部は、複数のものを重ねて設けてもよく、図８は、この場合を示している。つまり図８において、主ガイド部４００Ａ’の厚さ方向表裏各面に副ガイド部４００Ｂ’，４００Ｃを設ける。  
この場合にも各副ガイド部４００Ｂ’，４００Ｃの先端は傾斜片とされている。
【００６１】
本実施形態では、幅広の転写材だけではなく、狭福の転写材を対象とした場合でも、狭副転写材専用の副ガイド部が用いられるので、狭副転写材の後端跳ね上げを、撓み変形および離間タイミングの設定によって抑制することができる。
【００６２】
なお、図示しないが、ガイド支持部材３０１（図２参照）に対して副ガイド部のみが設けられている場合には、副ガイド部の先端が傾斜しているのに対応させてガイド支持部材３０１の先端を傾斜させることで、図６，図７に示した場合と同様な効果を得ることができる。また、副ガイド部の撓み変形が大きくなるような場合には、その撓み変形により副ガイド部が主ガイド部から剥離することも考えられるので、この場合には、副ガイド部の撓み変形方向に主ガイド部およびガイド支持部材を設けるようにしてもよい。
【図面の簡単な説明】
【００６３】
【図１】本発明の実施形態による画像形成装置の構成を説明するための模式図である。
【図２】図１に示した画像形成装置に用いられる転写材搬送部の構成を説明するための模式図である。
【図３】図２に示した転写材搬送部の要部を示す平面図である。
【図４】図２に示した転写材搬送部の作用を説明するための図２相当の模式図である。
【図５】図２に示した転写材搬送部に用いられる副ガイド部に関する別実施形態を説明するための図３相当の平面図である。
【図６】図５に示した別実施形態における要部変形例を示す図３相当の平面図である。
【図７】図５に示した別実施形態における要部のさらに別の変形例を示す図３相当の平面図である。
【図８】図６および図７に示した構成の側面図である。
【図９】転写材の後端跳ね上げを防止する構成に関する従来例を説明するための図３相当の平面図である。
【図１０】転写材搬送部における転写材の後端跳ね上げを防ぐための従来構造を示す模式図である。
【符号の説明】
【００６４】
１  中間転写ベルト
９  ２次転写ローラ
３００  転写材搬送ガイド部材
３００Ａ  主ガイド部
３００Ａ１  主ガイド部の先端
３００Ｂ，４００，４００Ｂ’  副ガイド部
３００Ｃ  下ガイド部
３０１  ガイド支持部材
【図１】
2010089925.tif 000003
【図２】
2010089925.tif 000004
【図３】
2010089925.tif 000005
【図４】
2010089925.tif 000006
【図５】
2010089925.tif 000007
【図６】
2010089925.tif 000008
【図７】
2010089925.tif 000009
【図８】
2010089925.tif 000010
【図９】
2010089925.tif 000011
【図１０】
2010089925.tif 000012